(57)【要約】      （修正有）【課題】カード類の収納部からカード類の落下を防ぐことができる携帯端末用ケースを提供する。【解決手段】携帯端末２５の液晶画面部２８全体を覆う表紙部１１と、携帯端末２５の背面全体を覆う裏表紙部２０と、表紙部１１と裏表紙部２０との間に配設される背表紙部１３とから構成されている携帯端末用ケース１０であって、表紙部１１の液晶画面部２８に対向する面部１６に、クリーニングクロス１５が取り付けられるように構成されている。【選択図】図２
0003212981.tif 000002
【実用新案登録請求の範囲】
【請求項１】
携帯端末の液晶画面部全体を覆う表紙部と、携帯端末の背面全体を覆う裏表紙部と、前記表紙部と前記裏表紙部との間に配設される背表紙部とから構成されている携帯端末用ケースであって、前記表紙部の前記液晶画面部に対向する面部に、クリーニングクロスが取り付けられていることを特徴とする携帯端末用ケース。
【請求項２】
前記クリーニングクロスは、前記表紙部の前記液晶画面部に対向する面部に面ファスナーで脱着可能に取り付けられているか又は縫い付けられていることを特徴とする請求項１記載の携帯端末用ケース。
【請求項３】
前記クリーニングクロスは、前記表紙部の前記液晶画面部に対向する面部の上縁部に面ファスナーで脱着可能に取り付けられているか又は縫い付けられていることを特徴とする請求項１記載の携帯端末用ケース。
【請求項４】
前記表紙部の前記液晶画面部に対向する面部には、カード類を収納するための収納部が設けられていることを特徴とする請求項１記載の携帯端末用ケース。
【請求項５】
前記表紙部と前記裏表紙部とを開閉可能に係止するための留め具が設けられていることを特徴とする請求項１記載の携帯端末用ケース。
【考案の詳細な説明】
【技術分野】
【０００１】
本考案は、携帯端末用ケースに係り、特に、液晶画面部に対向する面部にクリーニングクロスが取り付けられている携帯端末用ケースに関するものである。
【背景技術】
【０００２】
携帯端末用ケースにおいては、本体部の背面全体のみを覆うケースだけでなく、本体部の背面全体及び液晶画面も覆うことができる手帳型の携帯端末ケースが普及している。
特に、手帳型の携帯端末ケースにおいては、液晶画面に対向する面に、カード類を収納することができるカード収納部が複数設けられているものが多い。
しかしながら、カード収納部に収納したカード類の出し入れを複数回行うことにより、収納部の開口部が徐々に広がり、その結果、携帯端末を鞄等から取り出すときに、収納部に挿入しているカード類がケースの表紙部を閉じた状態でも落ちてしまう、という不具合があった。
【０００３】
本件出願人は、このような観点から先行技術の調査を行い、特許文献１のような文献を発見した。
【０００４】
例えば、特許文献１には、接着部と、スライド移動可能に支持する支持部と、を備える固定部が、カバー本体における携帯端末の背面と対向する背面対向面に設けられている携帯端末カバーが開示されている。
【０００５】
しかしながら、特許文献１に開示されている携帯端末ケースにあっては、多種類の携帯端末に使用することは可能であるが、液晶画面に対向する面部にカード類を収納するための収納部を設けているのみであるため、収納部に収納したカード類の出し入れを複数回行うことにより、収納部の開口部が徐々に拡張してしまうことにより、カード類が収納部から落下するおそれがある、という不具合があった。
【先行技術文献】
【特許文献】
【０００６】
【特許文献１】特開２０１７−１１４０３号公報
【考案の概要】
【考案が解決しようとする課題】
【０００７】
本考案の課題は、カード類の収納部からカード類の落下を防ぐことができる携帯端末用ケースを提供することである。
【課題を解決するための手段】
【０００８】
前記課題達成のため、請求項１記載の考案にあっては、携帯端末の液晶画面部全体を覆う表紙部と、携帯端末の背面全体を覆う裏表紙部と、前記表紙部と前記裏表紙部との間に配設される背表紙部とから構成されている携帯端末用ケースであって、前記表紙部の前記液晶画面部に対向する面部にクリーニングクロスが取り付けられていることを特徴とする。
【０００９】
従って、請求項１記載の考案にあっては、前記表紙部の前記液晶画面部に対向する面部に前記クリーニングクロスが取り付けられていることから、前記液晶画面部に対向する面部全体が被覆される。
【００１０】
また、前記表紙部の前記液晶画面部に対向する面部には、クリーニングクロスが取り付けられていることから、前記表紙部を閉じた状態にあっては、前記液晶画面部全体が被覆される。
【００１１】
また、前記表紙部の前記液晶画面部に対向する面部に前記クリーニングクロスが取り付けられていることから、前記クリーニングクロスは前記液晶画面部に付着した汚れの拭き取りに使用される。
【００１２】
請求項２記載の考案にあっては、前記クリーニングクロスは、前記表紙部の液晶画面部に対向する面部に面ファスナーで脱着可能に取り付けられているか又は縫い付けられていることを特徴とする。
【００１３】
従って、請求項２記載の考案にあっては、前記クリーニングクロスは、前記表紙部の前記液晶画面部に対向する面部に面ファスナーで脱着可能に取り付けられているか又は縫い付けられていることから、前記液晶画面部に対向する面部全体を被覆した状態を維持する。
【００１４】
請求項３記載の考案にあっては、前記クリーニングクロスは、前記表紙部の前記液晶画面部に対向する面部の上縁部に面ファスナーで脱着可能に取り付けられているか又は縫い付けられていることを特徴とする。
【００１５】
従って、請求項３記載の考案にあっては、前記クリーニングクロスは、前記表紙部の前記液晶画面部に対向する面部の上縁部に面ファスナーで脱着可能に取り付けられているか又は縫い付けられていることから、収納部からカード類の出し入れをする場合には、前記クリーニングクロスを上方にめくり上げる。
【００１６】
請求項４記載の考案にあっては、前記表紙部の前記液晶画面部に対向する面部には、カード類を収納するための収納部が設けられていることを特徴とする。
【００１７】
従って、請求項４記載の考案にあっては、前記表紙部の前記液晶画面部に対向する面部には、カード類を収納するための収納部が設けられていることから、定期券やクレジットカード等の使用頻度の高いカード類が収納される。
【００１８】
請求項５記載の考案にあっては、前記表紙部と前記裏表紙部とを開閉可能に係止するための留め具が設けられていることを特徴とする。
【００１９】
従って、請求項５記載の考案にあっては、前記表紙部と前記裏表紙部とを開閉可能に係止するための留め具が設けられていることから、前記表紙部が勝手に開くことはない。
【考案の効果】
【００２０】
請求項１記載の考案にあっては、前記表紙部の前記液晶画面部に対向する面部に、クリーニングクロスが取り付けられていることから、前記液晶画面部に対向する面部全体を被覆することができる。
【００２１】
また、前記表紙部の前記液晶画面部に対向する面部に、前記クリーニングクロスが取り付けられていることから、前記表紙部を閉じた状態にあっては、前記液晶画面部全体を被覆するので、前記液晶画面部の表面を保護することができる。    
【００２２】
その結果、本考案にあっては、前記クリーニングクロスが、前記表紙部と携帯端末間に生じる隙間を埋めるように取り付けられていることから、カード類の収納部からカード類の落下を防ぐことができる携帯端末用ケースを提供することができる。
【００２３】
また、前記表紙部の前記液晶画面部に対向する面部に、クリーニングクロスが取り付けられていることから、前記クリーニングクロスを前記液晶画面部に付着した汚れを拭き取るために使用することができる。
【００２４】
請求項２記載の考案にあっては、前記クリーニングクロスは、前記表紙部の前記液晶画面部に対向する面部に面ファスナーで脱着可能に取り付けられているか又は縫い付けられていることから、前記液晶画面部に対向する面部全体を被覆した状態を維持することができる。
【００２５】
その結果、前記表紙部の開閉によっては、前記クリーニングクロスは前記液晶画面部に対向する面部から剥がれることなく、前記面部を被覆し続けることができる。
【００２６】
請求項３記載の考案にあっては、前記クリーニングクロスは、前記表紙部の前記液晶画面部に対向する面部の上縁部に面ファスナーで脱着可能に取り付けられているか又は縫い付けられていることから、収納部からカード類の出し入れをする場合には、前記クリーニングクロスを上にめくり上げることにより、容易にカード類の出し入れをすることができる。
【００２７】
その結果、カードの出し入れをしない状態では収納部を被覆した状態を維持することができると共に、必要に応じて、簡単にカード類の出し入れも行うことができる。
【００２８】
請求項４記載の考案にあっては、前記表紙部の前記液晶画面部に対向する面部には、カード類を収納するための収納部が設けられていることから、定期券やクレジットカード等の使用頻度の高いカード類を収納することができる。
【００２９】
その結果、使用頻度の高いカード類を一つにまとめて持ち歩くことができる。
【００３０】
請求項５記載の考案にあっては、前記表紙部と前記裏表紙部とを開閉可能に係止するための留め具が設けられていることから、前記表紙部が勝手に開くことを防ぐことができる。
【００３１】
その結果、持ち運びの際に、鞄等に入れた場合であっても、前記表紙部が他の荷物との接触により開いた状態が維持され、液晶画面部に傷がつく等の事態を防ぐことができる。
【図面の簡単な説明】
【００３２】
【図１】図１は、本考案の一実施の形態に係る携帯端末用ケースを開いた状態を示す平面図である。
【図２】図２は、本考案の一実施の形態に係る携帯端末用ケースの携帯端末の収納部に携帯端末を収納した状態及び液晶画面部に対向する面部の上縁部に取り付けられたクリーニングクロスをめくり上げた状態を示す平面図である。
【図３】図３は、本考案の一実施の形態に係る携帯端末用ケースを閉じた状態を示す斜視図である。
【考案を実施するための最良の形態】
【００３３】
以下、添付図面に示す実施の形態に基づき、本考案を詳細に説明する。
図１〜図３に示すように、本実施の形態に係る携帯端末用ケース１０にあっては、携帯端末２５の液晶画面部２８全体を覆う表紙部１１と、携帯端末２５の背面全体を覆う裏表紙部１２と、表紙部１１と裏表紙部１２との間に配設される背表紙部１３とから構成されており、表紙部１１の液晶画面部２８に対向する面部１６に、クリーニングクロス１５が取り付けられるように構成されている。
【００３４】
図１〜図３に示すように、本実施の形態に係る携帯端末用ケース１０にあっては、展開状態において平面略正方形状に形成されており、表紙部１１を携帯端末２５の液晶画面部２８に向かって閉じた際には、表紙部１１と裏表紙部１２は、携帯端末２５を介して平行になるように構成されている。
【００３５】
図１及び図２に示すように、本実施の形態に係る携帯端末用ケース１０にあっては、表紙部１１と裏表紙部１２はいずれも長方形状であって、かつ同じ形状及び大きさに構成されており、表紙部１１の液晶画面部２８に対向する面部１６には、面部１６と同じ大きさに形成されているクリーニングクロス１５が取り付けられている。
【００３６】
図１及び図２に示すように、本実施の形態に係る携帯端末用ケース１０にあっては、クリーニングクロス１５は、表紙部１１の液晶画面部２８に対向する面部１６の上縁部１４に面ファスナーで脱着可能に取り付けられているか又は縫い付けられ固定されている。
【００３７】
図１〜図３に示すように、クリーニングクロス１５は、表紙部１１の液晶画面部２８に対向する面部１６の上縁部１４に面ファスナーで脱着可能に取り付けられている。
本実施形態においては、面ファスナーで脱着可能に取り付けられているが、縫い付けられていてもよい。
【００３８】
図１及び図２に示すように、本実施の形態に係る携帯端末用ケース１０にあっては、表紙部１１の液晶画面部２８に対向する面部１６には、カード類を収納するための収納部１７、１８が設けられている。収納部１７、１８は、面部１６において幅方向に沿った平行なスリット及び内部空隙により形成されている。
【００３９】
図１及び図２に示すように、本実施の形態に係る携帯端末用ケース１０にあっては、表紙部１１と裏表紙部１２とを開閉可能に係止するための留め具１９が設けられている。
【００４０】
図１〜図３に示すように、本実施の形態に係る携帯端末用ケース１０にあっては、留め具１９は、裏表紙部１２から表紙部１１にまで達する長さのベルト部２３と、マグネット、ホック又は面ファスナーの係止部材２４から構成される。
【００４１】
図１及び図２に示すように、本実施の形態に係る携帯端末用ケース１０にあっては、表紙部１１の液晶画面部２８に対向する面部１６には、背表紙部１３に沿うように、開口部２２を有する収納部が設けられている。
【００４２】
図１及び図２に示すように、本実施の形態に係る携帯端末用ケース１０にあっては、携帯端末２５の大きさに合わせた携帯端末固定部２０が設けられている。
【００４３】
図１及び図２に示すように、本実施の形態に係る携帯端末用ケース１０にあっては、携帯端末２５のカメラのレンズ位置に合わせたカメラのレンズ用孔部２１が設けられている。
【００４４】
以下、本実施の形態に係る携帯端末用ケース１０の作用及び効果について説明する。
図１〜図３に示すように、本実施の形態に係る携帯端末用ケース１０にあっては、表紙部１１の液晶画面部２８に対向する面部１６に、クリーニングクロス１５が取り付けられるように構成されていることから、液晶画面部２８に対向する面部１６全体を被覆することができる。
【００４５】
また、図１及び図２に示すように、本実施の形態に係る携帯端末用ケース１０にあっては、表紙部１１と裏表紙部１２は、同じ大きさに構成されており、表紙部１１の液晶画面部２８に対向する面部１６には、面部１６と同じ大きさに形成されているクリーニングクロス１５が取り付けられていることから、表紙部１１を閉じた際に、携帯端末２５の液晶画面部２８の全体を覆うことができるので、収納部１７、１８に収納されているカード類２６、２７が液晶画面部２８に接することにより液晶画面部２８に傷がつくことを防ぐことができる。
【００４６】
また、表紙部１１の液晶画面部２８に対向する面部１６には、面部１６と同じ大きさに形成されているクリーニングクロス１５が取り付けられていることから、液晶画面部２８に対向する面部１６全体を被覆することができる。
【００４７】
また、図２及び図３に示すように、表紙部１１の液晶画面部２８に対向する面部１６に、クリーニングクロス１５が取り付けられていることから、表紙部１１を閉じた状態にあっては、液晶画面部２８全体を被覆するので、液晶画面部２８の表面を保護することができる。
【００４８】
従って、クリーニングクロス１５が、表紙部１１と携帯端末２５間に生じる隙間を埋めるように取り付けられていることから、カード類の収納部１７、１８からカード類２６、２７の落下を防ぐことができる携帯端末用ケース１０を提供することができる。
【００４９】
また、表紙部１１の液晶画面部２８に対向する面部１６に、クリーニングクロス１５が取り付けられていることから、クリーニングクロス１５を液晶画面部２８に付着した汚れを拭き取るために使用することができる。
【００５０】
図１及び図２に示すように、本実施の形態に係る携帯端末用ケース１０にあっては、クリーニングクロス１５は、表紙部１１の液晶画面部２８に対向する面部１６に面ファスナーで脱着可能に取り付けられているか又は縫い付けられていることから、液晶画面部２８に対向する面部１６全体を被覆した状態を維持することができる。
【００５１】
従って、表紙部１１の開閉によっては、クリーニングクロス１５は液晶画面部２８に対向する面部１６から剥がれることなく、面部１６を被覆し続けることができる。
【００５２】
図１及び図２に示すように、クリーニングクロス１５は、表紙部１１の液晶画面部２８に対向する面部の上縁部１４に面ファスナーで脱着可能に取り付けられているか又は縫い付けられているので、収納部１７、１８からカード類の出し入れをする場合には、クリーニングクロス１５を上方にめくり上げることにより、容易にカード類２６、２７の出し入れをすることができる。
【００５３】
従って、カードの出し入れをしない状態では収納部１７、１８を被覆した状態を維持することができると共に、必要に応じて、簡単にカード類２６、２７の出し入れも行うことができる。
【００５４】
図２に示すように、本実施の形態に係る携帯端末用ケース１０にあっては、表紙部１１の液晶画面部２８に対向する面部１６には、カード類２６、２７を収納するための挿入部１９、２０が設けられていることから、定期券やクレジットカード等の使用頻度の高いカード類を挿入することができる。
【００５５】
従って、使用頻度の高いカード類２６、２７を一つにまとめて持ち歩くことができる。
【００５６】
図１〜図３に示すように、本実施の形態に係る携帯端末用ケース１０にあっては、表紙部１１と裏表紙部１２とを開閉可能に係止するための留め具１９が設けられていることから、表紙部１１が勝手に開くことを防ぐことができる。
【００５７】
従って、持ち運びの際に、鞄等に入れた場合であっても、表紙部１１が他の荷物との接触により開いた状態を維持することを防ぐことができる。
【００５８】
図１及び図２に示すように、本実施の形態に係る携帯端末用ケース１０にあっては、表紙部１１の液晶画面部２８に対向する面部１６には、背表紙部１３に沿うように、開口部２２を設けることができる。
【００５９】
従って、カード類２６、２７よりも大きいサイズであるチケットや、ICカードを使用した際に発券されるレシート等の紙類を収納することができる。
【産業上の利用可能性】
【００６０】
本考案は、液晶画面部に対向する面部を被覆するようにクリーニングクロスが取り付けられている携帯端末用ケースであることから産業上の利用可能性を有している。
【符号の説明】
【００６１】
１０…携帯端末用ケース
１１…表紙部
１２…裏表紙部
１３…背表紙部
１４…上縁部
１５…クリーニングクロス
１６…液晶画面部に対向する面部（面部）
１７…カード類を収納するための収納部
１８…カード類を収納するための収納部
１９…留め具
２０…携帯端末固定部
２１…レンズ用孔部
２２…開口部  
２３…ベルト部  
２４…係止部材  
２５…携帯端末  
２６…カード類  
２７…カード類  
２８…液晶画面部  
【図１】
0003212981.tif 000003
【図２】
0003212981.tif 000004
【図３】
0003212981.tif 000005